(57)【要約】【課題】簡単で且つ安全に登録された個人情報を読み出すことが可能で、利便性を向上した携帯電話機を提供する。【解決手段】受信メールに予め登録された識別記号や文字等を組み合わせたパスワードがあるかを判断し、パスワードがあった時にはその受信メールに含まれているパスワード以外の文字列を用いてデータベースの電話帳を検索する。そして、電話帳に文字列に該当する電話番号があった時は該当する電話番号を送信元にメール返信し、なかった時にはその旨をメール返信する。【選択図】        図２
2004336450.tif 000002
【特許請求の範囲】
【請求項１】
データが格納されたデータベースと、予め登録されたパスワードが受信メールに含まれているかを判断する手段と、前記パスワードが含まれていた時に受信メールにそのパスワード以外の文字列が含まれているかを判断する手段と、前記受信メールに文字列が含まれている時に当該文字列を用いて前記データベースを検索する手段と、前記文字列に該当するデータが前記データベースにあった時に当該データを送信元にメール返信する手段とを備えたことを特徴とする携帯電話機。
【請求項２】
前記文字列に該当するデータが前記データベースに無かった時には、その旨を送信元にメール返信することを特徴とする請求項１に記載の携帯電話機。
【請求項３】
前記検索手段は、前記文字列を用いて前記データベースの電話帳を検索することを特徴とする請求項１、２のいずれか１項に記載の携帯電話機。
【請求項４】
前記検索手段は、前記文字列を用いて前記データベースのスケジュール帳を検索することを特徴とする請求項１、２のいずれか１項に記載の携帯電話機。
【請求項５】
前記送信手段は、予め登録されたメールアドレス又は電話番号にデータを送信することを特徴とする請求項１〜４のいずれか１項に記載の携帯電話機。
【請求項６】
データが格納されたデータベースと、着呼時に入力された暗号と予め登録された暗号とを照合する手段と、両方の暗号が一致した時に音声で入力された検索コードをデータに変換する手段と、変換された検索コードを用いて前記データベースを検索する手段と、前記検索コードに該当するデータが前記データベースにあった時に当該データを音声で送信元に送信する手段とを備えたことを特徴とする携帯電話機。
【請求項７】
前記検索コードに該当するデータが前記データベースに無かった時には、その旨を音声で送信元に送信することを特徴とする請求項６に記載の携帯電話機。
【請求項８】
前記検索手段は、前記検索コードが氏名であった時は前記データベースの電話帳を検索することを特徴とする請求項６、７のいずれか１項に記載の携帯電話機。
【請求項９】
前記検索手段は、前記検索コードが日付であった時は前記データベースのスケジュール帳を検索することを特徴とする請求項６、７のいずれか１項に記載の携帯電話機。
【請求項１０】
前記送信手段は、予め登録された電話番号又はメールアドレスに音声でデータを送信することを特徴とする請求項６〜９のいずれか１項に記載の携帯電話機。
【発明の詳細な説明】
【０００１】
【発明の属する技術分野】
本発明は、携帯電話機に関し、特に、他の電話機等から携帯電話機に登録されている個人データを読み出して利用することが可能な携帯電話機に関するものである。
【０００２】
【従来の技術】
従来、携帯電話機には、電話帳やスケジュール帳等の多くの個人情報を登録することが可能であるが、携帯電話機を携帯し忘れるとそれらの個人情報を外部から参照することができない。
【０００３】
そこで、例えば、特開２０００−２１６８５８号に外部から携帯電話機の個人情報を利用する方法が提案されている。同公報の方法は、ダイヤルして入力された個人パスワードを受け、このパスワードが一致した時に個人データの検索コードを要求し、その検索コードに従って記憶装置から個人データを呼び出し出力する方法である（特許文献１参照）。
【０００４】
【特許文献１】
特開２０００−２１６８５８号（段落００２６〜００２９、図１）
【０００５】
【発明が解決しようとする課題】
上記特許文献１に記載された方法では、個人別パスワードが一致した時に個人データの呼び出し要求か否かの質問に対して「ハイ」、「イイエ」で答えなければならない。また、着信履歴の要求か、伝言メッセージの要求か等の質問に対しても答えなければならないし、検索コードの質問に対しても答える必要があるため、操作が複雑で時間がかかるという問題があった。
【０００６】
本発明は、上記従来の問題点に鑑みなされたもので、その目的は、簡単且つ安全に個人情報を読み出すことが可能で、利便性を向上した携帯電話機を提供することにある。
【０００７】
【課題を解決するための手段】
本発明は、上記目的を達成するため、データが格納されたデータベースと、予め登録されたパスワードが受信メールに含まれているかを判断する手段と、前記パスワードが含まれていた時に受信メールにそのパスワード以外の文字列が含まれているかを判断する手段と、前記受信メールに文字列が含まれている時に当該文字列を用いて前記データベースを検索する手段と、前記文字列に該当するデータが前記データベースにあった時に当該データを送信元にメール返信する手段とを備えたことを特徴とする。
【０００８】
また、本発明は、データが格納されたデータベースと、着呼時に入力された暗号と予め登録された暗号とを照合する手段と、両方の暗号が一致した時に音声で入力された検索コードをデータに変換する手段と、変換された検索コードを用いて前記データベースを検索する手段と、前記検索コードに該当するデータが前記データベースにあった時に当該データを音声で送信元に送信する手段とを備えたことを特徴とする。
【０００９】
【発明の実施の形態】
次に、本発明の実施の形態について図面を参照して詳細に説明する。
【００１０】
（第１の実施形態）
図１は本発明の第１の実施形態の構成を示すブロック図である。図中１はアンテナ、２は無線信号を送受信する無線回路、３は電話機内の各部を制御する制御回路、４は電話帳或いはスケジュール帳等の各種データが登録されたデータベースとしてのメモリである。また、５は一時的にデータを格納する一時メモリ、６は音声を出力するスピーカ、７は各種データを表示する液晶等の表示部、８は電話番号やメール等の各種データを入力するキー入力部、９は音声を入力するマイクである。
【００１１】
本実施形態では、まず、制御回路３はアンテナ１、無線回路２を経由して受信し、一時メモリ５に格納した受信メールに予めメモリ４に登録しておいた識別記号または文字があるかどうかを判別する。これは、利用者が予め記号や文字等を組み合わせて作成したものであり、パスワードとしてメモリ４に登録しておくものである。
【００１２】
それがあった場合には、メール情報の識別記号または文字以外の文字列（検索キーワード）を用いてメモリ４に格納されている電話帳を自動で検索する。そして、その結果をメール発信元にメール返信を行う。即ち、対象データがあった場合には対象データを抽出し、対象データがなかった場合には、予め用意されている応答メッセージ、例えば、「対象データなし」等をメール発信元にメール返信を行う。
【００１３】
次に、本実施形態の動作を図２に示すフローチャートを参照して説明する。まず、電話帳に関する個人情報を自動で検索し、メール返信する場合の動作について説明する。この時、携帯電話機のメモリ４には、前述のように予め識別記号又は文字等を組み合わせて端末利用者が登録しておく。
【００１４】
この際、この識別文字又は記号は個々に設定することにより、他の人が情報を取ることができないようにする。携帯電話機はメールを受信すると（ステップ２０１）、受信メール内にメモリ４に予め登録された識別記号または文字が含まれているかを判別する（ステップ２０２）。
【００１５】
識別記号または文字が含まれていない場合には、待受け状態に戻る（ＳＴＡＲＴ）。識別記号または文字が含まれている場合には、更にそれ以外の文字列（検索キーワード）があるかを判別し（ステップ２０３）、何もない場合は待受け状態に戻る（ＳＴＡＲＴ）。一方、それ以外の文字列があった場合には、その文字列を用いてメモリ４に格納されている電話帳を検索する（ステップ２０４）ここでは、それ以外の文字列として、氏名の文字列とし、その氏名に該当する電話番号があるかを検索する。
【００１６】
次いで、検索結果を判断し（ステップ２０５）、対象データがあった場合にはそのデータを抽出し（ステップ２０６）、それをメール送信元に自動で返信する（ステップ２０８）。対象データがなかった場合には、メモリ４に予め用意されている応答メッセージ、例えば、「データなし」等のメッセージを用意し（ステップ２０７）、メール送信元に自動で返信する（ステップ２０８）。その後、待受け状態に戻る（ＳＴＡＲＴ）。
【００１７】
このように本実施形態では、例えば、携帯電話機を携帯するのを忘れた場合には、外部の電話機から携帯電話機に登録してある情報を得ることができるため利便性が良くなる。また、その処理を携帯電話機に自動で行わせるための識別記号または文字を利用者が個別に予め登録できることで、他の人に情報を盗まれるのを防ぐことができる。
【００１８】
（第２の実施形態）
次に、本発明の第２の実施形態について説明する。第２の実施形態では、第１の実施形態の検索受付及び検索結果の送信の方法として別の方法を用いるものである。即ち、プッシュボタンによる暗号入力で情報検索の受け付けを行い、音声で検索キーワードを受ける方法、及び音声で検索結果を伝える方法を用いるものである。
【００１９】
図３は第２の実施形態の構成を示すブロック図である。図３では第１の実施形態のブロック図の図１に対して音声を認識する音声認識部１０を追加した点が異なっている。その他は第１の実施形態と同様である。また、図４は第２の実施形態の動作を示すフローチャートである。第２の実施形態の動作を図３及び図４を参照して説明する。
【００２０】
まず、携帯電話機のメモリ４には、予め外部からのアクセス用の暗号を携帯電話機の利用者が登録しておく。携帯電話機は自動で着呼すると（ステップ４０１）、制御回路３はメモリ４に登録している暗号の入力があるかどうかを判断する（ステップ４０２）。この暗号は上述のようにプッシュボタンによる暗号入力である。登録された暗号と合致する暗号入力があった場合には、その後入力される音声を一時メモリ５に保存し、音声認識部１０で音声をデータに変換する（ステップ４０３）。
【００２１】
ここで、この音声入力には検索キーワードが含まれており、例えば、検索キーワードとして氏名を用いるものとする。制御回路３はこの検索キーワードを用いてメモリ４に登録されている電話帳を検索し（ステップ４０５）、指定された検索キーワード（氏名）に該当する対象データ（電話番号）があるかを判断する（ステップ４０６）。
【００２２】
対象データがあった場合には、そのデータを抽出し（ステップ４０７）、その後、そのデータ（電話番号）を図示しないＤ／Ａ変換器でＤ／Ａ変換し（ステップ４０９）、無線回路２、アンテナ１を介して音声で通話相手に送信する（ステップ４１０）。
【００２３】
一方、対象データがなかった場合には、予めメモリ４内に用意されている応答メッセージ、例えば、「データなし」を図示しないＤ／Ａ変換器でＤ／Ａ変換し（ステップ４０９）、無線回路２、アンテナ１を介して音声で通話相手に送信する（ステップ４１０）。
【００２４】
このように本実施形態では、携帯電話機を携帯するのを忘れた場合であっても、音声で暗号や検索キーワードを入力できるので、例えば、一般電話機や公衆電話機等から携帯電話機に登録してある個人情報が得られ、更に利便性を向上することが可能である。
【００２５】
なお、第１、第２の実施形態では、検索した情報を送信元に送信すると説明したが、本発明は、これに限ることなく、予め携帯電話機に登録しておいたメールアドレスや電話番号に送信することも可能である。
【００２６】
また、第１、第２の実施形態では、氏名を検索キーワードとして電話帳を検索する例を示したが、本発明は、電話帳に限ることはなく、例えば、メモリ４のスケジュール帳を検索することも可能である。この場合には、識別文字又は記号、或いは暗号の後に検索キーワードとして「日付」を入力し、この日付情報があった場合には、日付情報を用いてメモリ４に登録されているスケジュール帳を検索し、該当する日付のスケジュールを送信する。更に、本発明はメモリに登録している全ての個人情報を読み出し、送信元や予め登録されたメールアドレスや電話番号に送信することも可能である。
【００２７】
【発明の効果】
以上説明したように本発明によれば、携帯電話機を携帯し忘れた場合であっても、外部から携帯電話機に登録している個人情報を読み出して利用することができ、利便性を向上することができる。また、全ての処理を自動で行うため、操作性が良く、更には、識別記号又は文字等のパスワードを利用者が個別に登録することで、個人情報の漏洩を防ぐことができる。
【図面の簡単な説明】
【図１】本発明の第１の実施形態の構成を示すブロック図である。
【図２】図１の実施形態の動作を説明するフローチャートである。
【図３】本発明の第２の実施形態の構成を示すブロック図である。
【図４】図３の実施形態の動作を説明するフローチャートである。
【符号の説明】
１  アンテナ
２  無線回路
３  制御回路
４  メモリ
５  一時メモリ
６  スピーカ
７  表示部
８  キー入力部
９  マイク
１０  音声認識部
【図１】
2004336450.tif 000003
【図２】
2004336450.tif 000004
【図３】
2004336450.tif 000005
【図４】
2004336450.tif 000006